(57)【要約】【課題】  衛生的かつ効率よく害虫を捕獲することのできる捕虫器と捕虫器収納容器を提供する。【解決手段】  一対の枠体とシート体からなり、枠体は、枠部と把持部を備え、一対の枠体は、回動可能に連結してあり、互いに重ね合わせて枠部と枠部の間にシート体を挟持しており、一対の枠体を重ね合わせた厚み幅は、シート体の厚み幅よりも大きく、シート体は、基材と粘着シートからなり、表裏に亘って貫通する通気穴を複数有し、害虫に対して誘因性のある匂いが付してあり、粘着シートは、めくり部を備え、粘着面を外側にして基材の表裏に複数枚積層してある。【選択図】      図１
2018143125.tif 000002
【特許請求の範囲】
【請求項１】
一対の枠体とシート体からなり、
枠体は、枠部と把持部を備え、
一対の枠体は、回動可能に連結してあり、互いに重ね合わせて枠部と枠部の間にシート体を挟持しており、
一対の枠体を重ね合わせた厚み幅は、シート体の厚み幅よりも大きく、
シート体は、基材と粘着シートからなり、表裏に亘って貫通する通気穴を複数有し、害虫に対して誘因性のある匂いが付してあり、
粘着シートは、めくり部を備え、粘着面を外側にして基材の表裏に複数枚積層してあることを特徴とする捕虫器。
【請求項２】
請求項１に記載の捕虫器を収納する収納容器であって、
前記捕虫器の前記枠部を収納する箱状の収納部と、収納部の一側面を延出した固定部を備え、
収納部は、前記枠部を出し入れ可能な開口を有し、複数の穴が設けてあり、
前記捕虫器を収納部に収納した状態で、収納体内壁面と前記捕虫器との間に空間を有することを特徴とする収納容器。
【発明の詳細な説明】
【技術分野】
【０００１】
本発明は、蠅や蚊等の翅によって飛び回る小型の害虫を捕獲する捕虫器とその収納容器に関する。
【背景技術】
【０００２】
従来から、蠅を捕獲するために、粘着性の長尺テープを天井等から吊り下げる蠅取り紙と呼ばれるものや、蠅叩きがある。
【発明の概要】
【発明が解決しようとする課題】
【０００３】
蠅取り紙は、テープに蠅が張り付いた状態で人の目に曝されるため、衛生的に見えず、不快感を与えるものであった。また蠅叩きは、蠅を潰してしまうおそれがあるため、不衛生である。
【０００４】
本発明は、上記事情を鑑みたものであり、衛生的かつ効率よく害虫を捕獲することのできる捕虫器とその収納容器を提供することを目的とする。
【課題を解決するための手段】
【０００５】
本発明のうち請求項１の発明は、一対の枠体とシート体からなり、枠体は、枠部と把持部を備え、一対の枠体は、回動可能に連結してあり、互いに重ね合わせて枠部と枠部の間にシート体を挟持しており、一対の枠体を重ね合わせた厚み幅は、シート体の厚み幅よりも大きく、シート体は、基材と粘着シートからなり、表裏に亘って貫通する通気穴を複数有し、害虫に対して誘因性のある匂いが付してあり、粘着シートは、めくり部を備え、粘着面を外側にして基材の表裏に複数枚積層してあることを特徴とする。
【０００６】
本発明のうち請求項２の発明は、請求項１に記載の捕虫器を収納する収納容器であって、前記捕虫器の前記枠部を収納する箱状の収納部と、収納部の一側面を延出した固定部を備え、収納部は、前記枠部を出し入れ可能な開口を有し、複数の穴が設けてあり、前記捕虫器を収納部に収納した状態で、収納体内壁面と前記捕虫器との間に空間を有することを特徴とする。
【発明の効果】
【０００７】
本発明によれば、枠体は、枠部と把持部を備え、一対の枠体は、回動可能に連結してあり、互いに重ね合わせて枠部と枠部の間にシート体を挟持しているので、枠体を回動させて閉じることでシート体を挟持し、開くことでシート体を新しいものに交換できる。一対の枠体を重ね合わせた厚み方向幅は、シート体の厚み方向幅よりも大きいため、捕虫器を水平面に載置した際に、枠部に挟持される粘着シートは水平面に接触せず、衛生的である。シート体は、基材と粘着シートからなり、表裏に亘って貫通する通気穴を複数有するので、捕虫器の把持部を持って害虫を払った際に、空気の抵抗が抑えられ、害虫を効率良く捕えることができる。またシート体には、害虫に対して誘因性のある匂いが付してあるので、捕虫器を載置しているだけでも害虫が寄ってきて捕えることができる。粘着シートは、めくり部を備え、粘着面を外側にして基材の表裏に複数枚積層してあるため、めくり部をつまんで表面から一枚ずつ使用済みの粘着シートを剥して捨て、新しい粘着シートを使用することができるため、衛生的かつ効率が良い。
【０００８】
捕虫器を収納する収納容器を合わせて使用すれば、害虫が付いた捕虫器が収納容器によって視認されないため、見た目も衛生的である。また、収納容器の収納部は、前記枠部を出し入れ可能な開口を有し、複数の穴が設けてあり、前記捕虫器を収納部に収納した状態で、収納体内壁面と前記捕虫器の前記枠部との間に空間を有するため、捕虫器を収納容器に収納した状態でも、収納部の穴から空間内へ害虫が進入し、捕虫器によって捕えることができる。
【図面の簡単な説明】
【０００９】
【図１】捕虫器の正面図である。
【図２】捕虫器の側面図であり、（ａ）は枠体を閉じた状態、（ｂ）は枠体を開いた状態を示す。
【図３】図１のＡ−Ａ線断面図である。
【図４】シート体の正面図である。
【図５】捕虫器を収納容器に収納した状態で示す正面図である。
【図６】図５のＢ−Ｂ線断面図である。
【発明を実施するための形態】
【００１０】
本発明の実施の形態について、図面に基づいて説明する。本発明の捕虫器１は、蠅や蚊をはじめ、アブ、カメムシ、ブヨ、ハチ等の翅を有する害虫を捕獲するためのものであって、一対の枠体１０，１０と枠体１０，１０に挟持されるシート体２０から構成される。
【００１１】
枠体１０は、図１に示すように、略円弧状の枠部１１と、枠部１１の一端部から延出する棒状の把持部１２によって、全体が略うちわ形状をなしており、枠部１１の他端部には連結部１３が設けてある。
一対の枠体１０，１０は、連結部１３において連結してあり、図２（ａ）（ｂ）に示すように、連結部１３の軸１３ａによって互いに回動可能であって、一対の枠体１０，１０を開いたり、閉じて重ね合わせることができる。一方の枠体１０の把持部１２の端部には、留め具１４が設けてある。一対の枠体１０，１０を重ね合わせ、一方の枠体１０の把持部１２に設けた留め具１４を、他方の枠体１０の把持部１２に引っ掛け、一対の枠体１０，１０を重ね合わせた状態で固定することができる。
また図３に示すように、一対の枠体１０，１０を重ね合わせた際に対向する枠部１１の内側面には、シート体２０を挟持するための凹部１１ａが形成されている。凹部１１ａは、枠部１１の内周に亘って設けてあり、後述するシート体２０の基材２２の外周端部を挟み込む。一対の枠体１０，１０を重ね合わせた状態の枠部１１の厚み方向幅Ｔ１は、シート体２０の厚み方向幅Ｔ２よりも大きい。
【００１２】
シート体２０は、基材２２と粘着シート２１からなり、表裏に亘って貫通する通気穴２３を複数有する。通気穴２３の大きさに制限はないが、例えば３〜５ｍｍほどの大きさでよい。図４にシート体２０の正面図を示す。なお図４には、一点鎖線で捕虫器１を示す。
基材２２は、枠体１０の枠部１１の内周よりもやや大きい寸法であって、材質は問わないが、例えば厚紙を用いることができる。基材２２の表裏には、複数枚積層された粘着シート２１を備える。
粘着シート２１は、枠体１０の枠部１１の内周よりもやや小さい寸法であって、片側面を粘着面とし、粘着面を外側にして剥離可能に積層してある。また、粘着シート２１の一部は、外周側に半円弧状に延出するめくり部２１ａとなっている。めくり部２１ａは粘着面を有しない。また、粘着シート２１には、害虫に対して誘因性のある匂いが付してある。なお、この匂いは人にとっても良い香りであることが望ましい。
【００１３】
捕虫器１を収納する収納容器３０は、図５及び図６に示すように、捕虫器１の枠部１１を収納する箱状の収納部３１と、収納部３１の一側面を延出した固定部３２を備える。収納容器３０は、例えば壁に掛けておくものであり、図５に示すように、把持部１２を上方に、枠部１１を下方にして捕虫器１が収納される。
収納部３１は、枠部１１を出し入れ可能な開口３４を上部に有し、前側面に複数の穴３３が設けてある。穴３３の大きさに制限はなく、種々の害虫が通り抜けられるほどの大きさであればよい。収納部３１の内寸は捕虫器１の厚みよりも大きいため、収納容器３０には、捕虫器１を収納部３１に収納した状態で、収納体内壁面と捕虫器１との間に空間Ｓを有する。
固定部３２は、収納部３１の後側面を上方へ延出させて形成してあり、収納容器３０を壁に掛けた際には壁に当接する。固定部３２の上部には、ネジ穴３５が設けてあり、ネジ穴３５からネジを挿通させたり、壁に設けた係止具等をネジ穴３５に通して壁に収納容器３０を設置する。
【００１４】
捕虫器１の使用方法としては、把持部１２を握って蠅や蚊を払うように振り、枠部１１内の粘着シート２１に粘着させて捕獲する。このとき、蠅や蚊の飛び立つ上部から払うこと捕獲し易い。粘着シート２１に害虫を捕獲した後は、めくり部２１ａをつまみ、表層の粘着シート２１を剥し、新しい粘着シート２１を露出させる。
捕虫器１を使用しない時は、収納容器３０に収納しておく。収納容器３０に捕虫器１を収納した状態でも、害虫は粘着シート２１が発する匂いに誘引され、収納容器３０の穴３３から収納容器３０内へ進入し、粘着シート２１に捕獲される。
捕虫器１及び収納容器３０は、使用しない時は乳幼児の手の届かないところに置くことが望ましい。
【００１５】
このような構成の捕虫器１によれば、枠体１０は、枠部１１と把持部１２を備え、一対の枠体１０，１０は、連結部１３において回動可能に連結してあり、互いに重ね合わせて枠部１１と枠部１１の間にシート体２０を挟持しているので、枠体１０を回動させて閉じることでシート体２０を挟持し、開くことでシート体２０を新しいものに容易に取り換えられ、繰り返し使用することができる。
一対の枠体１０，１０を重ね合わせた状態の枠部１１の厚み方向幅Ｔ１は、シート体２０の厚み方向幅Ｔ２よりも大きい。捕虫器１を水平面に載置しても、シート体２０は水平面に付かないので、使いやすく衛生的である。
シート体２０の表裏に亘って設けた通気穴２３によって、捕虫器１の把持部１２を持って害虫を払った際に空気の抵抗が抑えられ、害虫を効率良く捕えることができる。
また、粘着シート２１は、粘着面を有しないめくり部２１ａを備え、粘着面を外側にして基材２２の表裏に複数枚積層してあるため、めくり部２１ａをつまんで表層の粘着シート２１を剥し、新しい粘着シート２１を使用することができるため、衛生的である。
シート体２０には、害虫に対して誘因性のある匂いが付してあり、捕虫器１を収納する収納容器３０は、収納部３１の前側面に複数の穴３３が設けてあり、捕虫器１を収納部３１に収納した状態で、収納体内壁面と捕虫器１との間に空間Ｓを有するため、捕虫器１を収納容器３０に収納した状態でも害虫が穴３３から収納部３１内へ進入し、粘着シート２１へ捕えることができる。粘着シート２１へ捕えた害虫は、収納容器３０によって視認されないため見た目も清潔である。
【００１６】
本発明は、上記の実施形態に限定されない。たとえば、枠体の枠部は略円弧状に限らず、例えば方形の枠であってもよい。また、害虫に対して誘因性のある匂いは、基材と粘着シートのいずれかに付されていてもよいし、基材と粘着シートの両方に付されていてもよい。
【符号の説明】
【００１７】
１    捕虫器
１０    枠体
１１    枠部
１１ａ  凹部
１２    把持部
１３    連結部
１３ａ  軸
２０    シート体
２１    粘着シート
２１ａ  めくり部
２２    基材
２３    通気穴
３０    収納容器
３１    収納部
３２    固定部
３３    穴
３４    開口
Ｓ      空間
Ｔ１    一対の枠体の厚み方向幅
Ｔ２    シート体の厚み方向幅
【図１】
2018143125.tif 000003
【図２】
2018143125.tif 000004
【図３】
2018143125.tif 000005
【図４】
2018143125.tif 000006
【図５】
2018143125.tif 000007
【図６】
2018143125.tif 000008